(57)【要約】【課題】複数種類の入賞部品の構造の簡単化を図る。【解決手段】入賞部品１１１が組み立てられる場合、部品基盤１１２、前化粧盤１１３、開閉体１１４；１１５、開閉軸１１６；１１７、保持体１１８、作動軸１１９、止輪１２０、止ねじ１２１が共通部品として用いられ、これらの共通部品に対し、入賞部品１１１の種類によって、作動体１２２乃至１２５が１つずつ非共通部品として用いられることによって、前側の意匠が類似する４種類の入賞部品１１１が作り出され、機械的なチューリップタイプの種類に成り得る入賞部品１１１が遊技基盤に取り付けられる位置によって、作動体１２２乃至１２５から球を落下させる方向を左側または右側にしなければ成らない場合でも、作動体１２２乃至１２５を交換するだけでよい。【選択図】図１
2007312941.tif 000002
【特許請求の範囲】
【請求項１】
開閉体を球によって開閉するための作動体を備えたパチンコ遊技機の入賞部品において、非共通部品として複数の作動体を備え、入賞部品の種類によって、非共通部品としての複数の作動体が作動体以外の共通部品に対し１つずつ用いられ、複数の入賞部品が構成されたことを特徴とするパチンコ遊技機の入賞部品。
【発明の詳細な説明】
【技術分野】
【０００１】
本発明は、複数種類の入賞部品の構造が簡単なパチンコ遊技機の入賞部品に関する。
【背景技術】
【０００２】
パチンコ遊技機の入賞部品には、球によって開閉体を開閉する機械的なチューリップタイプのものが知られている。この機械的なチューリップタイプの入賞部品は、開閉体と作動体とを備え、球が作動体に載ることによって、作動体が往動し、開閉体が開放され、球が作動体から落下することによって、作動体が復動し、開閉体が閉鎖される構造になっている。しかしながら、複数種類の入賞部品を構成する場合、入賞部品を構成する部品基盤や前化粧盤および作動体など基本的な部品が別々のものとして構成される構造であるので、複数種類の入賞部品の構造が複雑になるという欠点がある。
【特許文献１】実開昭５６−１２７７８６号公報
【発明の開示】
【発明が解決しようとする課題】
【０００３】
発明が解決しようとする問題点は、複数種類の入賞部品を構成する場合、その構造が複雑になるという点である。
【課題を解決するための手段】
【０００４】
本発明に係るパチンコ遊技機の入賞部品は、開閉体を球によって開閉するための作動体を備えたパチンコ遊技機の入賞部品において、非共通部品として複数の作動体を備え、入賞部品の種類によって、非共通部品としての複数の作動体が作動体以外の共通部品に対し１つずつ用いられ、複数の入賞部品が構成されたことを最も主要な特徴とする。
【発明の効果】
【０００５】
本発明に係るパチンコ遊技機の入賞部品は、入賞部品を構成する部品の大半を別々の形に構成した場合に比べ、複数種類の入賞部品の構造が簡単になり、複数種類の入賞部品を安価に提供することができるという利点がある。
【発明を実施するための最良の形態】
【０００６】
図１乃至図８は、発明を実施するための最良の形態である。図１は、入賞部品１１１を分解して示す。図２は、入賞部品１１１Ａ乃至１１１Ｄを示す。図３は、入賞部品１１１の作用を示す。図４は、入賞部品２０１を分解して示す。図５は、入賞部品２０１Ａ；２０１Ｂを示す。図６は、入賞部品２０１の作用を示す。図７は、パチンコ遊技機を示す。図８は、第１乃至第１１入賞部品２１乃至３１における第１乃至第２２入賞口３２乃至５３の構成を示す。図９は、第１乃至第１１入賞部品２１乃至３１と第１乃至第２２入賞口３２乃至５３と払出と連動との相互関係を示す。図１０は、球が入賞した場合における第１入賞口３２、第２入賞口３３、第５乃至第２２入賞口３６乃至５３の相互関係を示す。本明細書において、「前」、「表」、「後」、「裏」、「左」、「右」、「上」、「下」の方向は、図１０の状態に遊技機枠１および遊技盤２を置いて図７の紙面の前側から見た場合に特定される方向である。「前」および「表」は、同じ方向である。「後」および「裏」は、同じ方向である。
【０００７】
図１を参照し、前側の意匠が類似する４種類に成り得る入賞部品１１１の構造について説明する。入賞部品１１１は、共通部品として、部品基盤１１２、前化粧盤１１３、開閉体１１４；１１５、開閉軸１１６；１１７、保持体１１８、作動軸１１９、止輪１２０、止ねじ１２１を備え、非共通部品として、作動体１２２；１２３；１２４；１２５を備える。そして、入賞部品１１１が組み立てられる場合、部品基盤１１２、前化粧盤１１３、開閉体１１４；１１５、開閉軸１１６；１１７、保持体１１８、作動軸１１９、止輪１２０、止ねじ１２１が共通部品として用いられ、これらの共通部品に対し、入賞部品１１１の種類によって、作動体１２２乃至１２５が１つずつ非共通部品として用いられることによって、前側の意匠が類似する４種類の入賞部品１１１が作り出される。このため、入賞部品１１１を構成する部品の大半を別々の形に構成した場合に比べ、前側の意匠が類似する複数種類の入賞部品１１１の構造が簡単になり、複数種類の入賞部品１１１を安価に提供することができるという利点がある。例えば、機械的なチューリップタイプの種類に成り得る入賞部品１１１が遊技基盤に取り付けられる位置によって、作動体１２２乃至１２５から球を落下させる方向を左側または右側にしなければ成らない場合でも、作動体１２２乃至１２５を交換するだけでよい。
【０００８】
入賞部品１１１が組み立てられる場合、作動体１２２乃至１２５のどれが使用されるかが異なるだけで、組立手順は同じであるので、作動体１２２が使用される１種類の入賞部品１１１を例として、説明する。作動体１２２が、部品基盤１１２の裏部における作動収容部１３１の内部に収容される。保持体１１８が、部品基盤１１２の止取付孔１３６；１３７に装着される。作動軸１１９が、作動体１２２の軸受孔１７１および部品基盤１１２の軸受孔１３４；１３５の双方に装着される。開閉体１１４；１１５が部品基盤１１２の前部に配置され、開閉軸１１６；１１７が開閉体１１４；１１５の軸受孔１５２；１５５と部品基盤１１２の軸受部１２７；１２８とに装着される。前化粧盤１１３が開閉体１１４；１１５を前側から被覆して部品基盤１１２の前部に配置され、止ねじ１２１が部品基盤１１２の裏側から化粧取付孔部１２９を経由して前化粧盤１１３の取付孔部１４９に締結される。
【０００９】
作動体１２２を使用した入賞部品１１１は、図２のａ図の入賞部品１１１Ａとして構成される。入賞部品１１１Ａは、図８の第８入賞部品２８に相当する。作動体１２３を使用した入賞部品１１１は、図２のｂ図の入賞部品１１１Ｂとして構成される。入賞部品１１１Ｂは、図８の第９入賞部品２９に相当する。作動体１２４を使用した入賞部品１１１は、図２のｃ図の入賞部品１１１Ｃとして構成される。入賞部品１１１Ｃは、図８の第６入賞部品２６に相当する。作動体１２５を使用した入賞部品１１１が、図２のｄ図の入賞部品１１１Ｄとして構成される。入賞部品１１１Ｄは、図８の第７入賞部品２７、第１０入賞部品３０、第１１入賞部品３１に相当する。
【００１０】
図１に戻り、入賞部品１１１の共通部品および非共通部品の構造を詳述する。部品基盤１１２は、板状であって、球入口１２６、軸受部１２７；１２８、化粧取付孔部１２９、盤取付孔部１３０、作動収容部１３１を備える。球入口１２６は、部品基盤１１２に前後方向への貫通孔として形成される。軸受部１２７；１２８は、開閉軸１１６；１１７を個別に取り付けるものであって、部品基盤１１２の前面から内部に窪む軸受孔を備え、部品基盤１１２に設けられる。化粧取付孔部１２９は、前化粧盤１１３を取り付けるものであって、前後方向への貫通孔として、部品基盤１１２に設けられる。部品基盤１１２の右下部にも化粧取付孔部１２９が設けられるが、該化粧取付孔部１２９の図示は省略されている。
【００１１】
盤取付孔部１３０は、入賞部品１１１を図６のｄ図の遊技基盤２Ａに取り付けるものであって、前後方向への貫通孔として、部品基盤１１２に設けられる。作動収容部１３１は、作動体１２２乃至１２５を収容するものであって、球入口１２６を縁取るように、部品基盤１１２の裏面から裏側に突出した筒状である。作動収容部１３１における左右一対の壁には、軸受孔１３４；１３５、止取付孔１３６；１３７、球逃避部１３８；１３９が設けられる。球逃避部１３８；１３９の上部を囲む左右一対の壁の後部は、保護壁１４０で互いに繋がれる。作動収容部１３１における底壁は、球排出部１４１を構成する。球排出部１４１は、球入口１２６から作動体１２２乃至１２５の下球排出部１６７を経由して裏側に排出された球を裏側に排出する斜面として構成される。
【００１２】
前化粧盤１１３は、板状であって、傘部１４３、軸受孔部１４４；１４５、球導入部１４６、受止部１４７；１４８、取付孔部１４９を備える。傘部１４３は、開閉体１１４；１１５が閉じた場合において、球が開閉体１１４；１１５の間から球入口１２６の側に取り込まれることがないように、球入口１２６への球の入賞を阻止するものであって、前化粧盤１１３の上部に位置し、前化粧盤１１３の裏面から裏側に突出する。軸受孔部１４４；１４５は、開閉軸１１６；１１７を個別に取り付けるものであって、裏側から内部に窪む軸受孔を備え、前化粧盤１１３の裏面から裏側に突出するように、前化粧盤１１３の裏面に設けられる。
【００１３】
球導入部１４６は、開いた開閉体１１４；１１５の間から開閉体１１４；１１５を閉じて球入口１２６の側に落下した球を、球入口１２６に誘導するものであって、前化粧盤１１３の下部に位置し、左右一対の壁と底壁とによって囲まれた形態である。球導入部１４６における左右一対の壁は、前化粧盤１１３の裏面から裏側に突出する。球導入部１４６の底壁は、左右一対の壁の下部に繋がるように前化粧盤１１３の裏面から裏側に突出する。底壁における球と接触する上面は、球を前化粧盤１１３から裏側に誘導する斜面を形成する。
【００１４】
受止部１４７は、左の開閉体１１４が閉じる場合において、開閉体１１４の被受止部１５３を受け止めることによって、開閉体１１４の閉じ過ぎを防止するものであって、球導入部１４６における左の壁から上部に突出するように、前化粧盤１１３の裏面から裏側に突出する。受止部１４８は、右の開閉体１１５が閉じる場合において、開閉体１１５の被受止部１５６を受け止めることによって、開閉体１１５の閉じ過ぎを防止するものであって、球導入部１４６における右の壁から上部に突出するように、前化粧盤１１３の裏面から裏側に突出する。取付孔部１４９は、前化粧盤１１３を部品基盤１１２に取り付ける止ねじ１２１を締結する筒状であって、前化粧盤１１３の裏面から裏側に突出する。
【００１５】
前化粧盤１１３が部品基盤１１２に取り付けられる場合、前化粧盤１１３の裏面が、部品基盤１１２の側に向けられる。傘部１４３が、開閉体１１４；１１５の前側から開閉体１１４；１１５における上部の間に挿入される。開閉体１１４；１１５が、球導入部１４６よりも上部に配置されるように、前化粧盤１１３と部品基盤１１２との間に取り込まれる。軸受孔部１４４；１４５が、開閉軸１１６；１１７における開閉体１１４；１１５よりも前側に突出した部分に個別に嵌め込まれる。その後、止ねじ１２１が部品基盤１１２の裏側から盤取付孔部１３０を経由して取付孔部１４９に締結される。これによって、前化粧盤１１３が部品基盤１１２に取り付けられる。
【００１６】
開閉体１１４；１１５は、図８の開閉体ｂ；ｃに相当するものであって、互いに左右で対を成す。開閉体１１４の下部には、軸受孔１５２、被受止部１５３、錘１５４が設けられる。軸受孔１５２は、前後方向への貫通孔として形成される。被受止部１５３は、開閉体１１４の下部から下方に突出する突起として形成される。錘１５４は、開閉体１１４の裏面から内部に埋め込まれる。開閉体１１４が部品基盤１１２に取り付けられる場合、開閉体１１４が左に位置するように部品基盤１１２の前側に配置され、開閉軸１１６が開閉体１１４の前側から軸受孔１５２を経由して軸受部１２７に嵌め込まれる。開閉体１１４では、錘１５４が開閉体１１４の上部を右から左に回転する重さを備えて配置されているので、開閉体１１４が部品基盤１１２に取り付けられた場合、開閉体１１４は開閉軸１１６を中心として部品基盤１１２の前面に沿って左右方向に回転可能であるが、開閉体１１４に回転を阻止する力が作用しない状態では、開閉体１１４が開閉軸１１６を中心として左に回転して開いた状態になる。
【００１７】
開閉体１１５の下部には、軸受孔１５５、被受止部１５６、錘１５７が設けられる。軸受孔１５５は、前後方向への貫通孔として形成される。被受止部１５６は、開閉体１１５の下部から下方に突出する突起として形成される。錘１５７は、開閉体１１５の裏面から内部に埋め込まれる。開閉体１１５が部品基盤１１２に取り付けられる場合、開閉体１１５が右に位置するように部品基盤１１２の前側に配置され、開閉軸１１７が開閉体１１５の前側から軸受孔１５５を経由して軸受部１２８に嵌め込まれる。開閉体１１５では、錘１５７が開閉体１１５の上部を左から右に回転する重さを備えて配置されているので、開閉体１１５が部品基盤１１２に取り付けられた場合、開閉体１１５は開閉軸１１７を中心として部品基盤１１２の前面に沿って左右方向に回転可能であるが、開閉体１１５に回転を阻止する力が作用しない状態では、開閉体１１５が開閉軸１１７を中心として右に回転して開いた状態になる。開閉軸１１６；１１７は、開閉体１１４；１１５の前後方向の寸法よりも前後方向に長い丸棒として構成される。
【００１８】
保持体１１８は、作動体１２２乃至１２５の後部が球の重さで前部よりも下方に位置するように、作動体１２２乃至１２５が傾斜した場合に、それ以上、作動体１２２乃至１２５が傾斜しないように、受け止めるとともに、作動体１２２乃至１２５の永久磁石１７３が吸着されることによって、作動体１２２乃至１２５を傾斜した状態に保つ強磁性体により構成される。保持体１１８の中央部には、くびれ部１５９が設けられる。保持体１１８の両端部には、挿入部１６０；１６１が設けられる。くびれ部１５９および挿入部１６０；１６１の外径は、保持体１１８の両端部の外径よりも細い。
【００１９】
保持体１１８が部品基盤１１２に取り付けられる場合、保持体１１８が作動体１２２乃至１２５よりも下部に配置されて部品基盤１１２に取り付けられる。それには、挿入部１６０が作動収容部１３１の内側から止取付孔１３６に嵌め込まれ、挿入部１６１が作動収容部１３１の内側から止取付孔１３７に嵌め込まれる。挿入部１６０；１６１が止取付孔１３６；１３７に嵌め込まれる場合、作動収容部１３１の左壁および右壁における止取付孔１３６；１３７の周囲の部分が外側に撓んだ後に内側に復元する。保持体１１８におけるくびれ部１５９と挿入部１６０；１６１との間の両端部が復元した作動収容部１３１の左壁および右壁を受け止める。よって、保持体１１８が作動収容部１３１の左壁および右壁から脱落しないように作動収容部１３１に取り付けられ、くびれ部１５９が作動収容部１３１の内部に配置される。
【００２０】
作動軸１１９は、作動体１２２乃至１２５の左右方向の寸法よりも左右方向に長い丸棒として構成される。作動軸１１９の一端部には、頭部１６３が設けられる。頭部１６３は、作動軸１１９の直径および軸受孔１７１の直径よりも大きな外径を有する。作動軸１１９の他端部には、溝１６４が設けられる。溝１６４は、止輪１２０を取り付けるものであって、作動軸１１９の外周面から内部に窪む形状である。止輪１２０は、環状の一部が除去された形状である。作動軸１１９が部品基盤１１２に取り付けられる場合、作動軸１１９の他端部が作動収容部１３１の外側から軸受孔１３４と作動体１２２乃至１２５の軸受孔１７１および軸受孔１３５を順に経由して作動収容部１３１に嵌め込まれ、作動収容部１３１から外側に突出した溝１６４に止輪１２０が装着され、作動軸１１９が止輪１２０および頭部１６３で作動収容部１３１に脱落しないように取り付けられて作動体１２２乃至１２５を部品基盤１１２に上下方向に回転可能に支持する。
【００２１】
作動体１２２は、作動収容部１３１に収容され、開閉体１１４；１１５を開閉するための部材を構成するものであって、上球排出部１６６、下球排出部１６７、球誘導突起１６８、受止部１６９；１７０、軸受孔１７１、被押下部１７２、永久磁石１７３を備える。上球排出部１６６は、上球排出部１６６の上方から落下した球を受け止めて左右の一側方に排出するような斜面として、作動体１２２の後上部に形成される。下球排出部１６７は、開いた開閉体１１４；１１５の間から開閉体１１４；１１５を閉じて球入口１２６の側に落下した球を、球入口１２６から裏側に誘導するものであって、作動体１２２の下部に形成される。球誘導突起１６８は、球を作動体１２２の上面から上球排出部１６６に誘導するものであって、作動体１２２の左縁部から上方に突出するように作動体１２２の左縁部に設けられる。
【００２２】
受止部１６９は、開閉体１１４の被受止部１５３を上方から下方に押し下げて開閉体１１４を閉じるものであって、作動体１２２乃至１２５の前上左部に設けられる。受止部１７０は、開閉体１１５の被受止部１５６を上方から下方に押し下げて開閉体１１５を閉じるものであって、作動体１２２乃至１２５の前上右部に設けられる。軸受孔１７１は、上球排出部１６６と受止部１６９；１７０との間に位置し、作動体１２２乃至１２５に左右方向への貫通孔として形成される。被押下部１７２は、上球排出部１６６よりも下部に位置し、作動体１２２乃至１２５の後部から側方に突出する。永久磁石１７３は、球が上球排出部１６６の上に落下することによって、作動体１２２乃至１２５の後部が前部よりも下がるように、作動体１２２乃至１２５が傾斜した場合、保持体１１８を磁力で吸着し、該作動体１２２乃至１２５の傾斜した姿勢を保持するものであって、作動体１２２乃至１２５の後下部に埋め込まれて設けられる。
【００２３】
作動体１２３は、上球排出部１６６、下球排出部１６７、球誘導突起１６８、受止部１６９；１７０、軸受孔１７１、永久磁石１７３を備える点において作動体１２２と同じであるが、被押下部１７２を備えていない点で作動体１２２と異なる。
【００２４】
作動体１２４は、上球排出部１６６、下球排出部１６７、球誘導突起１６８、受止部１６９；１７０、軸受孔１７１、永久磁石１７３、被押下部１７２を備える点において作動体１２２と同じであるが、上球排出部１６６の球を排出する方向、球誘導突起１６８が設けられる位置、被押下部１７２の突出する方向が、作動体１２２と異なる。具体的には、作動体１２２の上球排出部１６６が球を左から右に排出する斜面として構成されるのに対し、作動体１２４の上球排出部１６６が球を右から左に排出する斜面として構成される。作動体１２２では球誘導突起１６８が作動体１２２の左縁部に設けられるのに対し、作動体１２４では球誘導突起１６８が作動体１２４の右縁部から上方に突出するように作動体１２４の右縁部に設けられる。作動体１２２では被押下部１７２が作動体１２２から左に突出するのに対し、作動体１２４では被押下部１７２が作動体１２４から右に突出する。
【００２５】
作動体１２５は、上球排出部１６６、下球排出部１６７、球誘導突起１６８、受止部１６９；１７０、軸受孔１７１、永久磁石１７３を備え、被押下部１７２を備えていない点において作動体１２３と同じであるが、上球排出部１６６の球を排出する方向、球誘導突起１６８が設けられる位置が、作動体１２３と異なる。つまり、作動体１２３の上球排出部１６６が球を左から右に排出する斜面として構成されるのに対し、作動体１２５の上球排出部１６６が球を右から左に排出する斜面として構成される。
【００２６】
作動体１２２乃至１２５のいずれかが部品基盤１１２に取り付けられる場合、上球排出部１６６が上になり、下球排出部１６７および永久磁石１７３が下になり、受止部１６９；１７０が前になり、被押下部１７２が後側になるように、作動体１２２乃至１２５のいずれかが作動収容部１３１の内部に収容される。被押下部１７２が存在する場合、被押下部１７２は、球逃避部１３８；１３９を経由して作動収容部１３１から左外側または右外側に突出する。その後、作動軸１１９が軸受孔１３４；１３５と軸受孔１７１との双方に嵌め込まれ、作動体１２２乃至１２５のいずれかが部品基盤１１２に取り付けられる。作動体１２２乃至１２５は、軸受孔１７１を境とする前部が後部よりも重い重量配分のもと構成されている。よって、作動体１２２乃至１２５が部品基盤１１２に取り付けられた場合、作動体１２２乃至１２５の前部が作動軸１１９を中心として下方に回転し、下球排出部１６７の前部が球入口１２６の下縁部に上方から受け止められる。
【００２７】
図３を参照し、入賞部品１１１；１１１Ａ乃至１１１Ｄの作用について、作動体１２２を用いた入賞部品１１１Ａの作用を例として説明する。図３のｂ図において、開閉体１１４；１１５が開いた状態では、作動体１２２の前部が作動軸１１９を中心として下方に回転するのに伴い、受止部１６９；１７０が開閉体１１４；１１５における後側の被受止部１５３；１５６を押し下げる。これによって、図３のａ図に示すように、開閉体１１４が開閉軸１１６を中心として左から右に回転して閉じられ、開閉体１１５が開閉軸１１７を中心として右から左に回転して閉じられ、下球排出部１６７の前部が球入口１２６の下縁部に上方から受け止められる。開閉体１１４；１１５が閉じられた場合、受止部１６９；１７０と被受止部１５３；１５６とが互いに左右方向で対向して掛け止められ、開閉体１１４；１１５が開放されない。また、開閉体１１４；１１５の上部が傘部１４３と左右方向で対向し、球が開閉体１１４；１１５の間から球入口１２６の側に取り込まれない。
【００２８】
前記のように開閉体１１４；１１５が閉じられた状態において、図３のｃ図に示すように、球が矢印Ｘ３１で示すように作動体１２２の後部に落下すると、作動体１２２の前部が作動軸１１９を中心として矢印Ｘ３２で示す上方に回転し、作動体１２２の永久磁石１７３が図３のｄ図に示すように保持体１１８に吸着される。上記作動体１２２の前部の上方への回転に伴い、図３のａ図に示す受止部１６９；１７０と被受止部１５３；１５６との左右方向での対向が解除される。すると、図３のｂ図に示すように、開閉体１１４；１１５が錘１５４；１５７の重さによって開閉軸１１６；１１７を中心として左右に開き、その開いた形態が錘１５４；１５７の重さによって保持される。開閉体１１４；１１５が開放されると、開閉体１１４；１１５における被受止部１５３；１５６の側の下部が互いに近づく。この近づいた開閉体１１４；１１５の下部間の間隔Ｈ１は、１個の球Ｐの直径Ｄ１よりも小さい（Ｈ１＜Ｄ１）。
【００２９】
開閉体１１４；１１５が開いた状態において、球が開閉体１１４；１１５の間に入って開閉体１１４；１１５の下部に到達すると、球が開閉体１１４；１１５の下部を押し下げ、開閉体１１４；１１５が開閉軸１１６；１１７を中心として閉じる。これに伴い、図３のａ図に示すように、開閉体１１４；１１５の下部が互いに離れる。この離れた開閉体１１４；１１５の下部間の間隔が、１個の球Ｐ（図３のｂ図参照）の直径よりも大きくなる。したがって、図３のｄ図に示すように、球Ｐが開閉体１１４；１１５の下部の間を落下して下球排出部１６７の前部に受け止められる。すると、下球排出部１６７に受け止められた球の重さによって、保持体１１８と永久磁石１７３との吸着が解除され、作動体１２２の前部が作動軸１１９を中心として矢印Ｘ３３で示す下方に回転する。
【００３０】
これによって、受止部１６９；１７０が図３のｂ図に示す位置から図３のａ図に示す位置へと下降するのに伴い、図３のａ図に示すように、受止部１６９；１７０が被受止部１５３；１５６と対向し、開閉体１１４；１１５が閉じられた形態に保持され、図３のｃ図に示すように、下球排出部１６７が球入口１２６の下縁部に上方から受け止められ、作動体１２２の下方への回転が停止する。その後、下球排出部１６７に受け止められた球は、下球排出部１６７から遊技基盤２Ａの裏側の第１１球通路９３に排出される。
【００３１】
図４を参照し、前側の意匠が類似する２種類に成り得る入賞部品２０１の構造について説明する。入賞部品２０１は、共通部品として、部品基盤２０２、前化粧盤２０３、開閉体２０４；２０５、開閉軸２０６；２０７、保持体２０８、作動軸２０９、止輪２１０、止ねじ２１１を備え、非共通部品として、作動体２１２；２１３を備える。そして、入賞部品２０１が組み立てられる場合、入賞部品２０１の種類によって、作動体２１２；２１３が１つずつ使い分けられることによって、２種類の入賞部品２０１が作り出される。このため、入賞部品２０１を構成する部品の大半を別々の形に構成した場合に比べ、前側の意匠が類似する複数種類の入賞部品２０１の構造が簡単になり、複数種類の入賞部品２０１を安価に提供することができるという利点がある。例えば、機械的なチューリップタイプの種類に成り得る入賞部品２０１が遊技基盤に取り付けられる位置によって、作動体２１２；２１３から球を落下させる方向を左側または右側にしなければ成らない場合でも、作動体２１２；２１３を交換するだけでよい。
【００３２】
入賞部品２０１の組立方については、作動体２１２；２１３のどちらかを使用するかが異なるだけで、組立方の基本的な手順は同じであるので、作動体２１２を使用する１つの種類の入賞部品２０１を例として、説明する。作動体２１２が、部品基盤２０２の裏部における作動収容部２２４の内部に収容される。保持体２０８が、部品基盤２０２の止取付孔２３０；２３１に装着される。作動軸２０９が、作動体２１２の軸受孔２８７および部品基盤２０２の軸受孔２２８；２２９の双方に装着される。開閉体２０４；２０５が部品基盤２０２の前部に配置され、開閉軸２０６；２０７が開閉体２０４；２０５の軸受孔２６８；２７１と部品基盤２０２の軸受部２２０；２２１とに装着される。前化粧盤２０３が開閉体２０４；２０５を前側から被覆して部品基盤２０２の前部に配置され、止ねじ２１１が部品基盤２０２の裏側から化粧取付孔部２２２を経由して前化粧盤２０３の取付孔部２４５に締結される。
【００３３】
作動体２１２を使用した入賞部品２０１は、図５のａ図の入賞部品２０１Ａとして構成される。入賞部品２０１Ａは、図８における第５入賞部品２５に相当する。作動体２１３を使用した入賞部品２０１が、図５のｂ図の入賞部品２０１Ｂとして構成される。入賞部品２０１Ｂは、図８における第４入賞部品２４に相当する。
【００３４】
図４に戻り、入賞部品２０１の共通部品および非共通部品の構造を詳述する。部品基盤２０２は、板状であって、上球入口２１４、検出挿入孔２１５、検出掛止部２１６、上球導入部２１７、上球導出部２１８、下球入口２１９、軸受部２２０；２２１、化粧取付孔部２２２、盤取付孔部２２３、作動収容部２２４を備える。上球入口２１４は、部品基盤２０２に前後方向への貫通孔として形成される。検出挿入孔２１５は、上球入口２１４の上部に位置し、部品基盤２０２に前後方向への貫通孔として形成される。検出掛止部２１６は、検出挿入孔２１５の一側部に位置し、部品基盤２０２の裏面に設けられる。検出掛止部２１６は、部品基盤２０２の裏面から裏側に突出した弾性片と、弾性片の後部に設けられた鉤２２７とを備える。
【００３５】
上球導入部２１７は、上球入口２１４の下縁部に位置し、部品基盤２０２の前面から前側に突出する突起として、部品基盤２０２に設けられる。上球導出部２１８、上球入口２１４の下縁部に位置し、部品基盤２０２の裏面から裏側に突出する突起として、部品基盤２０２に設けられる。上球導入部２１７の上面および上球導出部２１８の上面には、上球導入部２１７から上球導出部２１８の側に球を誘導する斜面が設けられる。下球入口２１９は、上球入口２１４よりも下部に位置し、部品基盤２０２に前後方向への貫通孔として形成される。軸受部２２０；２２１は、開閉軸２０６；２０７を個別に取り付けるものであって、部品基盤２０２の前面から内部に窪む軸受孔を備え、部品基盤２０２に設けられる。化粧取付孔部２２２は、前化粧盤２０３を取り付けるものであって、前後方向への貫通孔として、部品基盤２０２に設けられる。部品基盤２０２の右下部にも化粧取付孔部２２２が設けられるが、該化粧取付孔部２２２の図示は省略されている。
【００３６】
盤取付孔部２２３は、入賞部品２０１を図６の遊技基盤２Ａに取り付けるものであって、前後方向への貫通孔として、部品基盤２０２に設けられる。作動収容部２２４は、作動体２１２を収容するものであって、上球入口２１４を縁取るように、部品基盤２０２の裏面から裏側に突出した筒状である。作動収容部２２４における左右一対の壁には、軸受孔２２８；２２９、止取付孔２３０；２３１、球逃避部２３２；２３３が設けられる。球逃避部２３２；２３３の上部を囲む左右一対の壁の後部は、保護壁２３４で互いに繋がれる。作動収容部２２４における底壁は、球排出部２３５を構成する。球排出部２３５は、上球入口２１４から作動体２１２；２１３の下球排出部２８３を経由して裏側に排出された球を裏側に排出する斜面として構成される。
【００３７】
前化粧盤２０３は、板状であって、上球入口２３７、入口突起２３８；２３９、軸受孔部２４０；２４１、球導入部２４２、受止部２４３；２４４、取付孔部２４５を備える。上球入口２３７は、球を上から下に取り入れる部分である。入口突起２３８；２３９は、１個の球が上から下に通過可能であるものの２個の球が横に並んで通過不可能な寸法に、上球入口２３７の左右方向の横幅を仕切る突起であって、前化粧盤２０３の上部に位置し、前化粧盤２０３の裏面から裏側に突出する。軸受孔部２４０；２４１は、開閉軸２０６；２０７を個別に取り付けるものであって、裏側から内部に窪む軸受孔を備え、前化粧盤２０３の裏面から裏側に突出するように、前化粧盤２０３の裏面に設けられる。
【００３８】
球導入部２４２は、開いた開閉体２０４；２０５の間から開閉体２０４；２０５を閉じて下球入口２１９の側に落下した球を、下球入口２１９に誘導するものであって、前化粧盤２０３の下部に位置し、左右一対の壁と底壁とによって囲まれた形態である。球導入部２４２における左右一対の壁は、前化粧盤２０３の裏面から裏側に突出する。球導入部２４２の底壁は、左右一対の壁の下部に繋がるように前化粧盤２０３の裏面から裏側に突出する。底壁における球と接触する上面は、球を前化粧盤２０３から裏側に誘導する斜面を形成する。受止部２４３は、左の開閉体２０４が閉じる場合において、開閉体２０４の被受止部２６９を受け止めることによって、開閉体２０４の閉じ過ぎを防止するものであって、球導入部２４２における左の壁から上部に突出するように、前化粧盤２０３の裏面から裏側に突出する。受止部２４４は、右の開閉体２０５が閉じる場合において、開閉体２０５の被受止部２７２を受け止めることによって、開閉体２０５の閉じ過ぎを防止するものであって、球導入部２４２における右の壁から上部に突出するように、前化粧盤２０３の裏面から裏側に突出する。取付孔部２４５は、前化粧盤２０３を部品基盤２０２に取り付ける止ねじ２１１を締結する筒状であって、前化粧盤２０３の裏面から裏側に突出する。
【００３９】
前化粧盤２０３が部品基盤２０２に取り付けられる場合、前化粧盤２０３の裏面が、部品基盤２０２の側に向けられる。入口突起２３８；２３９が、検出挿入孔２１５よりも上部に配置される。開閉体２０４；２０５が、球導入部２４２よりも上部に配置されるように、前化粧盤２０３と部品基盤２０２との間に取り込まれる。軸受孔部２４０；２４１が、開閉軸２０６；２０７における開閉体２０４；２０５よりも前側に突出した部分に個別に嵌め込まれる。その後、止ねじ２１１が部品基盤２０２の裏側から盤取付孔部２２３を経由して取付孔部２４５に締結される。これによって、前化粧盤２０３が部品基盤２０２に取り付けられる。
【００４０】
開閉体２０４；２０５は、図８の開閉体ｂ；ｃに相当するものであって、互いに左右で対を成す。開閉体２０４の下部には、軸受孔２６８、被受止部２６９、錘２７０が設けられる。軸受孔２６８は、前後方向への貫通孔として形成される。被受止部２６９は、開閉体２０４の下部から下方に突出する突起として形成される。錘２７０は、開閉体２０４の裏面から内部に埋め込まれる。開閉体２０５の下部には、軸受孔２７１、被受止部２７２、錘２７３が設けられる。軸受孔２７１は、前後方向への貫通孔として形成される。被受止部２７２は、開閉体２０５の下部から下方に突出する突起として形成される。錘２７３は、開閉体２０５の裏面から内部に埋め込まれる。開閉体２０４が部品基盤２０２に取り付けられる場合、開閉体２０４が左に位置するように部品基盤２０２の前側に配置され、開閉軸２０６が開閉体２０４の前側から軸受孔２６８を経由して軸受部２２０に嵌め込まれる。開閉体２０４では、錘２７０が開閉体２０４の上部を右から左に回転する重さを備えて配置されているので、開閉体２０４が部品基盤２０２に取り付けられた場合、開閉体２０４は開閉軸２０６を中心として部品基盤２０２の前面に沿って左右方向に回転可能であるが、開閉体２０４に回転を阻止する力が作用しない状態では、開閉体２０４が開閉軸２０６を中心として左に回転して開いた状態になる。
【００４１】
開閉体２０５の下部には、軸受孔２７１、被受止部２７２、錘２７３が設けられる。軸受孔２７１は、前後方向への貫通孔として形成される。被受止部２７２は、開閉体２０５の下部から下方に突出する突起として形成される。錘２７３は、開閉体２０５の裏面から内部に埋め込まれる。開閉体２０５が部品基盤２０２に取り付けられる場合、開閉体２０５が右に位置するように部品基盤２０２の前側に配置され、開閉軸２０７が開閉体２０５の前側から軸受孔２７１を経由して軸受部２２１に嵌め込まれる。開閉体２０５では、錘２７３が開閉体２０５の上部を左から右に回転する重さを備えて配置されているので、開閉体２０５が部品基盤２０２に取り付けられた場合、開閉体２０５は開閉軸２０７を中心として部品基盤２０２の前面に沿って左右方向に回転可能であるが、開閉体２０５に回転を阻止する力が作用しない状態では、開閉体２０５が開閉軸２０７を中心として右に回転して開いた状態になる。開閉軸２０６；２０７は、開閉体２０４；２０５の前後方向の寸法よりも前後方向に長い丸棒として構成される。
【００４２】
保持体２０８は、球の重さで作動体２１２；２１３の後部が前部よりも下方に位置するように、作動体２１２；２１３が傾斜した場合に、それ以上、作動体２１２；２１３が傾斜しないように、受け止めるとともに、作動体２１２；２１３の永久磁石２８８に吸着されることによって、作動体２１２；２１３を傾斜した状態に保つ強磁性体により構成される。保持体２０８の中央部には、くびれ部２７５が設けられる。保持体２０８の両端部には、挿入部２７６；２７７が設けられる。くびれ部２７５および挿入部２７６；２７７の外径は、保持体２０８の両端部の外径よりも細い。
【００４３】
保持体２０８が部品基盤２０２に取り付けられる場合、保持体２０８が作動体２１２；２１３よりも下部に配置されて部品基盤２０２に取り付けられる。それには、挿入部２７６が作動収容部２２４の内側から止取付孔２３０に嵌め込まれ、挿入部２７７が作動収容部２２４の内側から止取付孔２３１に嵌め込まれる。挿入部２７６；２７７が止取付孔２３０；２３１に嵌め込まれる場合、作動収容部２２４の左壁および右壁における止取付孔２３０；２３１の周囲の部分が外側に撓んだ後に内側に復元する。保持体２０８におけるくびれ部２７５と挿入部２７６；２７７との間の両端部が復元した作動収容部２２４の左壁および右壁を受け止める。よって、保持体２０８が作動収容部２２４の左壁および右壁から脱落しないように作動収容部２２４に取り付けられ、くびれ部２７５が作動収容部２２４の内部に配置される。
【００４４】
作動軸２０９は、作動体２１２の左右方向の寸法よりも左右方向に長い丸棒として構成される。作動軸２０９の一端部には、頭部２７９が設けられる。頭部２７９は、作動軸２０９の直径および軸受孔２８７の直径よりも大きな外径を有する。作動軸２０９の他端部には、溝２８０が設けられる。溝２８０は、止輪２１０を取り付けるものであって、作動軸２０９の外周面から内部に窪む形状である。止輪２１０は、環状の一部が除去された形状である。作動軸２０９が部品基盤２０２に取り付けられる場合、作動軸２０９の他端部が作動収容部２２４の外側から軸受孔２２８と作動体２１２；２１３の軸受孔２８７および軸受孔２２９を順に経由して作動収容部２２４に嵌め込まれ、作動収容部２２４から外側に突出した溝２８０に止輪２１０が装着され、作動軸２０９が止輪２１０および頭部２７９で作動収容部２２４に脱落しないように取り付けられて作動体２１２；２１３を部品基盤２０２に上下方向に回転可能に支持する。
【００４５】
作動体２１２は、作動収容部２２４に収容され、開閉体２０４；２０５を開閉するための部材を構成するものであって、上球排出部２８２、下球排出部２８３、球誘導突起２８４、受止部２８５；２８６、軸受孔２８７、永久磁石２８８を備える。上球排出部２８２は、上球排出部２８２の上方から落下した球を受け止めて左右の一側方に排出するような斜面として、作動体２１２の後上部に形成される。下球排出部２８３は、開いた開閉体２０４；２０５の間から開閉体２０４；２０５を閉じて下球入口２１９の側に落下した球を、下球入口２１９から裏側に誘導するものであって、作動体２１２の下部に形成される。
球誘導突起２８４は、球を作動体２１２の上面から上球排出部２８２に誘導するものであって、作動体２１２の左縁部から上方に突出するように作動体２１２の左縁部に設けられる。
【００４６】
受止部２８５は、開閉体２０４の被受止部２６９を上方から下方に押し下げて開閉体２０４を閉じるものであって、作動体２１２の前上左部に設けられる。受止部２８６は、開閉体２０５の被受止部２７２を上方から下方に押し下げて開閉体２０５を閉じるものであって、作動体２１２の前上右部に設けられる。軸受孔２８７は、上球排出部２８２と受止部２８５；２８６との間に位置し、作動体２１２に左右方向への貫通孔として形成される。永久磁石２８８は、球が上球排出部２８２の上に落下することによって、作動体２１２の後部が前部よりも下がるように、作動体２１２が傾斜した場合、保持体２０８を磁力で吸着し、該作動体２１２の傾斜した姿勢を保持するものであって、作動体２１２の後下部に埋め込まれて設けられる。
【００４７】
作動体２１３は、上球排出部２８２、下球排出部２８３、球誘導突起２８４、受止部２８５；２８６、軸受孔２８７、永久磁石２８８を備える点において作動体２１２と同じであるが、上球排出部２８２の球を排出する方向、球誘導突起２８４が設けられる位置が、作動体２１２と異なる。つまり、作動体２１２の上球排出部２８２が球を左から右に排出する斜面として構成されるのに対し、作動体２１３の上球排出部２８２が球を右から左に排出する斜面として構成される。
【００４８】
作動体２１２；２１３のいずれかが部品基盤２０２に取り付けられる場合、上球排出部２８２が上になり、下球排出部２８３および永久磁石２８８が下になり、受止部２８５；２８６が前になるように、作動体２１２；２１３のいずれかが作動収容部２２４の内部に収容される。その後、作動軸２０９が軸受孔２２８；２２９と軸受孔２８７との双方に嵌め込まれ、作動体２１２；２１３のいずれかが部品基盤２０２に取り付けられる。作動体２１２；２１３は、軸受孔２８７を境とする前部が後部よりも重い重量配分のもと構成されている。よって、作動体２１２；２１３が部品基盤２０２に取り付けられた場合、作動体２１２；２１３の前部が作動軸２０９を中心として下方に回転し、下球排出部２８３の前部が下球入口２１９の下縁部に上方から受け止められる。
【００４９】
図６を参照し、入賞部品２０１；２０１Ａ乃至２０１Ｂの作用について、作動体２１２を用いた入賞部品２０１Ａの作用を例として説明する。図６のｂ図において、開閉体２０４；２０５が開いた状態において、作動体２１２の前部が作動軸２０９を中心として下方に回転するのに伴い、受止部２８５；２８６が開閉体２０４；２０５における後側の被受止部２６９；２７２を押し下げる。これによって、図６のａ図に示すように、開閉体２０４が開閉軸２０６を中心として左から右に回転して閉じられ、開閉体２０５が開閉軸２０７を中心として右から左に回転して閉じられ、下球排出部２８３の前部が下球入口２１９の下縁部に上方から受け止められる。開閉体２０４；２０５が閉じられた場合、受止部２８５；２８６と被受止部２６９；２７２とが互いに左右方向で対向して掛け止められ、開閉体２０４；２０５が開放されない。また、開閉体２０４；２０５の上部が上球導入部２１７と左右方向で対向し、球が開閉体２０４；２０５の間から下球入口２１９の側に取り込まれない。
【００５０】
前記のように開閉体２０４；２０５が閉じられた状態において、図６のｃ図に示すように、球が矢印Ｘ４１で示すように作動体２１２の後部に落下すると、作動体２１２の前部が作動軸２０９を中心として矢印Ｘ４２で示す上方に回転し、作動体２１２の永久磁石２８８が図６のｄ図に示すように保持体２０８に吸着される。上記作動体２１２の前部の上方への回転に伴い、図６のａ図に示す受止部２８５；２８６と被受止部２６９；２７２との左右方向での対向が解除される。すると、図６のｂ図に示すように、開閉体２０４；２０５が錘２７０；２７３の重さによって開閉軸２０６；２０７を中心として左右に開き、その開いた形態が錘２７０；２７３の重さによって保持される。開閉体２０４；２０５が開放されると、開閉体２０４；２０５における被受止部２６９；２７２の側の下部が互いに近づく。この近づいた開閉体２０４；２０５の下部間の間隔Ｈ２は、１個の球Ｐの直径Ｄ１よりも小さい（Ｈ２＜Ｄ１）。
【００５１】
開閉体２０４；２０５が開いた状態において、球が開閉体２０４；２０５の間に入って開閉体２０４；２０５の下部に到達すると、球が開閉体２０４；２０５の下部を押し下げ、開閉体２０４；２０５が開閉軸２０６；２０７を中心として閉じる。これに伴い、図６のａ図に示すように、開閉体２０４；２０５の下部が互いに離れる。この離れた開閉体２０４；２０５の下部間の間隔が、１個の球Ｐ（図６のｂ図参照）の直径よりも大きくなる。したがって、図６のｄ図に仮想線で示すように、球Ｐが開閉体２０４；２０５の下部の間を落下して下球排出部２８３の前部に受け止められる。すると、下球排出部２８３に受け止められた球の重さによって、保持体２０８と永久磁石２８８との吸着が解除され、作動体２１２の前部が作動軸２０９を中心として矢印Ｘ４３で示す下方に回転する。
【００５２】
これによって、受止部２８５；２８６が図６のｂ図に示す位置から図６のａ図に示す位置へと下降するのに伴い、図６のａ図に示すように、受止部２８５；２８６が被受止部２６９；２７２と対向し、開閉体２０４；２０５が閉じられた形態に保持され、図６のｃ図に示すように、下球排出部２８３が下球入口２１９の下縁部に上方から受け止められ、作動体２１２の下方への回転が停止する。その後、下球排出部２８３に受け止められた球は、下球排出部２８３から遊技基盤２Ａの裏側の第１６球通路９８に排出される。
【００５３】
図７を参照し、パチンコ遊技機の構造について説明する。パチンコ遊技機は、大まかには、遊技機枠１の内部に遊技盤２を交換可能に格納した形態である。遊技機枠１は、固定枠３の前側に可動枠４を開閉可能に備え、可動枠４の前側に前扉５および皿構造体６を開閉可能に備える。固定枠３は、遊技機設置構造体に取り付けるための外枠とも呼ばれる。遊技機設置構造体は、遊技店のパチンコ遊技機を設置する島とも呼ばれる設備である。可動枠４は、遊技盤２、球発射機構７、図外の球払出機構など遊技に必要な部品を取り付ける前枠とも呼ばれる。球払出機構は、可動枠４の裏部に設けられる。前扉５は、パネル枠とも呼ばれ、前後方向に貫通する窓９を備える。窓９は、前面パネル１０で塞がれる。前面パネル１０は、前扉５の裏面に設けられた光透過性の有る無色なガラスのような板状の部材により構成される。皿構造体６の前面には、球受皿部１１および球発射操作機構１２が設けられる。
【００５４】
遊技盤２は、遊技基盤２Ａに、多種多様な遊技部品を備える。遊技基盤２Ａの前面には、遊技領域１３が設けられる。遊技盤２が遊技機枠１に格納された場合、遊技領域１３は、遊技機枠１の前側から窓９および前面パネル１０を経由して視認される。遊技領域１３は、遊技盤２の前面の内ガイドレール１４および外ガイドレール１５で囲まれた内側の部分である。遊技領域１３の左側には、球発射通路１６が接続される。球発射通路１６は、内ガイドレール１４の左側部と外ガイドレール１５の左側部との間の隙間によって形成される。遊技領域１３には、アウト口１７、球戻り防止弁１８、球反発体１９、遊技釘２０、第１入賞部品２１、第２入賞部品２２、第３入賞部品２３、第４入賞部品２４、第５入賞部品２５、第６入賞部品２６、第７入賞部品２７、第８入賞部品２８、第９入賞部品２９、第１０入賞部品３０、第１１入賞部品３１が設けられる。内ガイドレール１４、外ガイドレール１５、アウト口１７、球戻り防止弁１８、球反発体１９、遊技釘２０、第１乃至第１１入賞部品２１乃至３１は、遊技基盤２Ａの前側に設けられる多種多様な遊技部品を構成する。
【００５５】
遊技者が球受皿部１１にパチンコ球と呼ばれる球を入れ、遊技者が球発射操作機構１２を右回りに操作すると、球発射機構７が球発射操作機構１２の操作量に応じた発射力で駆動し、球発射機構７が球受皿部１１から遊技機枠１の内部に取り込まれた球を１個ずつ球発射通路１６に向けて発射する。球発射通路１６に発射された球は、球戻り防止弁１８を押し開けて遊技領域１３に到達する。遊技領域１３に到達した球は、遊技領域１３を流下する過程において、遊技部品に衝突して、流れる方向を変えながら、第１乃至第１１入賞部品３１のいずれかに入って遊技盤２の裏側に排出される。第１乃至第１１入賞部品３１のいずれにも入らないで、遊技領域１３の最下部に到達した球は、アウト口１７から遊技盤２の裏側に排出される。
【００５６】
図８を参照し、第１乃至第１１入賞部品２１乃至３１における入賞口の構成について説明する。第１入賞部品２１は、第１入賞口３２を備える。第２入賞部品２２は、第２入賞口３３を備える。第３入賞部品２３は、第３入賞口３４、第４入賞口３５、第５入賞口３６、第６入賞口３７、第７入賞口３８、第８入賞口３９、第９入賞口４０、第１０入賞口４１、第１１入賞口４２、第１２入賞口４３からなる１０個の入賞口を備える。第４入賞部品２４は、第１３入賞口４４、第１４入賞口４５を備える。第５入賞部品２５は、第１５入賞口４６、第１６入賞口４７を備える。第６入賞部品２６は、第１７入賞口４８を備える。第７入賞部品２７は、第１８入賞口４９を備える。第８入賞部品２８は、第１９入賞口５０を備える。第９入賞部品２９は、第２０入賞口５１を備える。第１０入賞部品３０は、第２１入賞口５２を備える。第１１入賞部品３１は、第２２入賞口５３を備える。
【００５７】
第１乃至第７入賞口３２乃至３８、第１２入賞口４３、第１４入賞口４５、第１６入賞口４７は、球を取り入れるための球入口の大きさが不変な入賞口として構成される。第８乃至第１１入賞口３９乃至４２は、遊技領域１３から球を取り入れるための球入口の大きさが可変な入賞口として、球入口の前部に一体の開閉体ａを個別に備え、開閉体ａが垂直姿勢から下部を中心として前側に開放されて前傾姿勢になることによって、球入口に球を入れることが可能になり、開閉体ａが前傾姿勢から下部を中心として後側に閉鎖され垂直姿勢になることによって、球入口に球を入れることが不可能になるように、構成される。
【００５８】
第１３入賞口４４、第１５入賞口４６、第１７乃至第２２入賞口４８乃至５３は、遊技領域１３から球を取り入れるための球入口の大きさが可変な入賞口として、球入口の前部両側に左右一対の開閉体ｂ；ｃを備え、左の開閉体ｂが垂直姿勢から下部を中心として左側に開放されて左斜め姿勢になり、右の開閉体ｃが垂直姿勢から下部を中心として右側に開放されて右斜め姿勢になることによって、球入口に球を入れることが可能になり、左の開閉体ｂが左斜め姿勢から下部を中心として右側に閉鎖されて垂直姿勢になり、右の開閉体ｃが右斜め姿勢から下部を中心として左側に閉鎖されて垂直姿勢になることによって、球入口に球を入れることが不可能になるように、構成される。
【００５９】
第１入賞口３２、第２入賞口３３、第５乃至第２２入賞口３６乃至５３は、入賞した球を遊技盤２の裏側に排出する。第３入賞口３４、第４入賞口３５は、入賞した球を、第５乃至第７入賞口３６乃至３８のいずれかに必ず入賞するように、第３入賞部品２３の前部に形成された部屋で下方に落下する。第１乃至第４入賞口３２乃至３５、第８乃至第２２入賞口３９乃至５３に球が入賞すると、図外の球払出機構が賞球を払い出す。第５乃至第７入賞口３６乃至３８に球が入賞しても、球払出機構が賞球を払い出さない。
【００６０】
第５入賞口３６または遊技領域１３から第１４入賞口４５に入賞した球は、遊技盤２の裏側に排出され、第１３入賞口４４の開閉体ｂ；ｃを開放する。第８入賞口３９の開閉体ａまたは第９入賞口４０の開閉体ａが開放中において、遊技領域１３から第８入賞口３９または第９入賞口４０に入賞した球は、球の入賞した入賞口に該当する開閉体ａを閉鎖し、遊技盤２の裏側に排出され、第１３入賞口４４の開閉体ｂ；ｃを開放する。第６入賞口３７に入賞した球は、遊技盤２の裏側に排出され、第８乃至第１１入賞口３９乃至４２の開閉体ａと第１７乃至第１９入賞口４８乃至５０および第２１入賞口５２の開閉体ｂ；ｃを開放する。
【００６１】
第７入賞口３８または遊技領域１３から第１６入賞口４７に入賞した球は、遊技盤２の裏側に排出され、第１５入賞口４６の開閉体ｂ；ｃを開放する。第１０入賞口４１の開閉体ａまたは第１１入賞口４２の開閉体ａが開放中において、遊技領域１３から第１０入賞口４１または第１１入賞口４２に入賞した球は、球の入賞した入賞口に該当する開閉体ａを閉鎖し、遊技盤２の裏側に排出され、第１５入賞口４６の開閉体ｂ；ｃを開放する。第１３入賞口４４の開閉体ｂ；ｃが開放中において、遊技領域１３から第１３入賞口４４に入賞した球は、第１３入賞口４４の開閉体ｂ；ｃを閉鎖し、遊技盤２の裏側に排出される。第１５入賞口４６の開閉体ｂ；ｃが開放中において、遊技領域１３から第１５入賞口４６に入賞した球は、第１５入賞口４６の開閉体ｂ；ｃを閉鎖し、遊技盤２の裏側に排出される。
【００６２】
第１７入賞口４８の開閉体ｂ；ｃが開放中において、遊技領域１３から第１７入賞口４８に入賞した球は、第１７入賞口４８の開閉体ｂ；ｃを閉鎖し、遊技盤２の裏側に排出され、第２０入賞口５１の開閉体ｂ；ｃを開放する。第１８入賞口４９の開閉体ｂ；ｃが開放中において、遊技領域１３から第１８入賞口４９に入賞した球は、第１８入賞口４９の開閉体ｂ；ｃを閉鎖し、遊技盤２の裏側に排出され、第２１入賞口５２の開閉体ｂ；ｃを開放する。第１９入賞口５０の開閉体ｂ；ｃが開放中において、遊技領域１３から第１９入賞口５０に入賞した球は、第１９入賞口５０の開閉体ｂ；ｃを閉鎖し、遊技盤２の裏側に排出され、第２２入賞口５３の開閉体ｂ；ｃを開放する。
【００６３】
第２０入賞口５１の開閉体ｂ；ｃが開放中において、遊技領域１３から第２０入賞口５１に入賞した球は、第２０入賞口５１の開閉体ｂ；ｃを閉鎖し、遊技盤２の裏側に排出される。第２１入賞口５２の開閉体ｂ；ｃが開放中において、遊技領域１３から第２１入賞口５２に入賞した球は、第２１入賞口５２の開閉体ｂ；ｃを閉鎖し、遊技盤２の裏側に排出される。第２２入賞口５３の開閉体ｂ；ｃが開放中において、遊技領域１３から第２２入賞口５３に入賞した球は、第２２入賞口５３の開閉体ｂ；ｃを閉鎖し、遊技盤２の裏側に排出される。
【００６４】
よって、第５入賞口３６に球が入賞した場合、賞球が払い出されず、第１３入賞口４４の開閉体ｂ；ｃが開放する。第６入賞口３７に球が入賞した場合、賞球が払い出されず、第８乃至第１１入賞口３９乃至４２の開閉体ａと第１７乃至第１９入賞口４８乃至５０および第２１入賞口５２の開閉体ｂ；ｃとが開放する。第７入賞口３８に球が入賞した場合、賞球が払い出されず、第１５入賞口４６の開閉体ｂ；ｃが開放する。第８入賞口３９または第９入賞口４０または第１４入賞口４５に球が入賞した場合、賞球が払い出され、第１３入賞口４４の開閉体ｂ；ｃが開放する。第１０入賞口４１または第１１入賞口４２または第１６入賞口４７に球が入賞した場合、賞球が払い出され、第１５入賞口４６の開閉体ｂ；ｃが開放する。第１７入賞口４８に球が入賞した場合、賞球が払い出され、第２０入賞口５１の開閉体ｂ；ｃが開放する。第１８入賞口４９に球が入賞した場合、賞球が払い出され、第２１入賞口５２の開閉体ｂ；ｃが開放する。第１９入賞口５０に球が入賞した場合、賞球が払い出され、第２２入賞口５３の開閉体ｂ；ｃが開放する（図３参照）。
【００６５】
第１８入賞口４９の開閉体ｂ；ｃおよび第２１入賞口５２の開閉体ｂ；ｃが開放中においては、球が第１８入賞口４９に入賞するよりも先の時点で第２１入賞口５２に入賞した方が、球が第２１入賞口５２に入賞するよりも先の時点で第１８入賞口４９に入賞するよりも、有利である。その理由は、球が第１８入賞口４９に入賞するよりも先の時点で第２１入賞口５２に入賞すれば、第２１入賞口５２への入賞に伴い第２１入賞口５２の開閉体ｂ；ｃが閉鎖した後に、第１８入賞口４９への入賞に伴い第２１入賞口５２の開閉体ｂ；ｃが再び開放するからである。換言すると、球が第１８入賞口４９に入賞するよりも先の時点で第２１入賞口５２に入賞した場合に賞球として払い出される球の個数は、球が第２１入賞口５２に入賞するよりも先の時点で第１８入賞口４９に入賞した場合に賞球として払い出される球の個数よりも多くなるからである。
【００６６】
第６入賞口３７に入賞した１個の球が、第８乃至第１１入賞口３９乃至４２の開閉体ａと第１７乃至第１９入賞口４８乃至５０および第２１入賞口５２の開閉体ｂ；ｃとを開放するので、第６入賞口３７は、第８乃至第１１入賞口３９乃至４２と第１７乃至第１９入賞口４８乃至５０および第２１入賞口５２からなる８個の可変入賞口を球の入賞可能な形態に開放する、特定入賞口を構成する。また、第８乃至第１１入賞口３９乃至４２と第１７入賞口４８および第１９入賞口５０が入賞可能な形態に開放した場合において、第８入賞口３９または第９入賞口４０に入賞した球が第１３入賞口４４の開閉体ｂ；ｃを開放し、第１０入賞口４１または第１１入賞口４２に入賞した球が第１５入賞口４６の開閉体ｂ；ｃを開放し、第１７入賞口４８に入賞した球が第２０入賞口５１の開閉体ｂ；ｃを開閉し、第１９入賞口５０に入賞した球が第２２入賞口５３の開閉体ｂ；ｃを開閉するので、第６入賞口３７は、第１３入賞口４４と第１５入賞口４６と第２０入賞口５１および第２２入賞口５３からなる４個の可変入賞口を球の入賞可能な形態に開放するきっかけを作る、特定入賞口としても機能する。
【００６７】
図９において、入賞部品欄の第１乃至第１１は、図８の第１乃至第１１入賞部品２１乃至３１を表す。入賞口欄の第１乃至第２２は、図８の第１乃至第２２入賞口３２乃至５３を表す。払出欄の○印は、当該欄の左側に位置する入賞口への入賞に対し、賞球が払い出されることを表す。払出欄の×印は、当該欄の左側に位置する入賞口への入賞に対し、賞球が払い出されないことを表す。連動欄の○印は、当該欄の左側に位置する入賞口への入賞に対し、連動する入賞口が有ることを表す。連動欄の○印の右側には、連動する入賞口の該当する番号を表す。連動する入賞口の該当する番号は、図６の第８乃至第１１入賞口３９乃至４２と第１３入賞口４４と第１５入賞口４６と第１７乃至第２２入賞口４８乃至５３を表す。
【００６８】
図１０を参照し、球が入賞した場合における第１入賞口３２、第２入賞口３３、第５乃至第２２入賞口３６乃至５３の相互関係について説明する。遊技盤２の裏面には、球通路が次のように構成される。第１球通路８３は、第１入賞口３２から遊技盤２の裏側に排出された球を、矢印Ｘ１で示す経路で、下方に誘導する。第１球通路８３を通過する球は、第１球通路８３に設けられた第１入賞球検出器６２で検出される。第２球通路８４は、第２入賞口３３、第１２入賞口４３のいずれかから遊技盤２の裏側に排出された球を、矢印Ｘ２；Ｘ３のいずれかで示す経路で、下方に誘導する。第２球通路８４を通過する球は、第２球通路８４に設けられた第２入賞球検出器６３で検出される。第１入賞球検出器６２または第２入賞球検出器６３は、球を検出した信号を入賞信号として図外の制御装置に出力し、制御装置が入賞信号に対応する個数の賞球としての球を払い出すように図外の球払出機構を駆動する。つまり、第１入賞口３２、第２入賞口３３、第１２入賞口４３のいずれかに入賞した球は、賞球の払い出しを伴い、他の入賞口の開閉体を開放することなく、遊技盤２の下部から下方に排出される。
【００６９】
第３球通路８５は、第５入賞口３６、第８入賞口３９、第９入賞口４０のいずれかから遊技盤２の裏側に排出された球を、矢印Ｘ４；Ｘ５；Ｘ６のいずれかで示す経路で、第１３入賞口４４の作動体２１３の上に誘導する。第４球通路８６は、第１４入賞口４５から遊技盤２の裏側に排出された球を、矢印Ｘ７で示す経路で、真下の作動体２１３の上に誘導する。作動体２１３の後部は、その上に乗った球の重さで下方に動き、作動体２１３の前部が第１３入賞口４４の図８の開閉体ｂ；ｃを開放する。作動体２１３の後部が下方に動くと、その上に乗った球は、作動体２１３から第１３入賞口４４を迂回して左斜め下方の第５球通路８７に排出される。第５球通路８７は、作動体２１３から排出された球を、矢印Ｘ８で示す経路で、第１球通路８３の下部に集合するように誘導する。第５入賞口３６に入賞した球は、第５入賞口３６に設けられた第５入賞球検出器６６で検出される。第８入賞口３９に入賞した球は、第８入賞口３９から第３球通路８５に球を誘導する球通路８５Ａに設けられた第８入賞球検出器６９で検出される。第９入賞口４０に入賞した球は、第９入賞口４０から第３球通路８５に球を誘導する球通路８５Ｂに設けられた第９入賞球検出器７０で検出される。第１４入賞口４５に入賞した球は、第１４入賞口４５に設けられた第１３入賞球検出器７４で検出される。第８入賞球検出器６９または第９入賞球検出器７０または第１３入賞球検出器７４は、球を検出した信号を入賞信号として図外の制御装置に出力し、制御装置が入賞信号に対応する個数の賞球としての球を払い出すように図外の球払出機構を駆動する。つまり、第５入賞口３６に入賞した球は、賞球の払い出しを伴うことなく、第１３入賞口４４における図８の開閉体ｂ；ｃを開放し、遊技盤２の下部から下方に排出される。第８入賞口３９、第９入賞口４０、第１４入賞口４５のいずれかに入賞した球は、賞球の払い出しを伴い、第１３入賞口４４における図８の開閉体ｂ；ｃを開放し、遊技盤２の下部から下方に排出される。
【００７０】
第６球通路８８は、第７入賞口３８、第１０入賞口４１、第１１入賞口４２のいずれかから遊技盤２の裏側に排出された球を、矢印Ｘ９；Ｘ１０；Ｘ１１のいずれかで示す経路で、第１５入賞口４６の作動体２１２の上に誘導する。第７球通路８９は、第１６入賞口４７から遊技盤２の裏側に排出された球を、矢印Ｘ１２で示す経路で、真下の作動体２１２の上に誘導する。作動体２１２の後部は、その上に乗った球の重さで下方に動き、作動体２１２の前部が第１５入賞口４６における図８の開閉体ｂ；ｃを開放する。作動体２１２の後部が下方に動くと、その上に乗った球は、作動体２１２から第１５入賞口４６を迂回して右斜め下方の第８球通路９０に排出される。第８球通路９０は、作動体２１２から排出された球を、矢印Ｘ１３で示す経路で、第２球通路８４の下部に集合するように誘導する。第７入賞口３８に入賞した球は、第７入賞口３８に設けられた第７入賞球検出器６８で検出される。第１０入賞口４１に入賞した球は、第７入賞口３８から第６球通路８８に球を誘導する球通路８８Ａに設けられた第１０入賞球検出器７１で検出される。第１１入賞口４２に入賞した球は、第７入賞口３８から第６球通路８８に球を誘導する球通路８８Ｂに設けられた第１１入賞球検出器７２で検出される。第１６入賞口４７に入賞した球は、第１６入賞口４７に設けられた第１５入賞球検出器７６で検出される。第１０入賞球検出器７１または第１１入賞球検出器７２または第１５入賞球検出器７６は、球を検出した信号を入賞信号として図外の制御装置に出力し、制御装置が入賞信号に対応する個数の賞球としての球を払い出すように図外の球払出機構を駆動する。つまり、第７入賞口３８に入賞した球は、賞球の払い出しを伴うことなく、第１５入賞口４６における図８の開閉体ｂ；ｃ開閉体を開放し、遊技盤２の下部から下方に排出される。第１０入賞口４１、第１１入賞口４２のいずれかに入賞した球は、賞球の払い出しを伴い、第１５入賞口４６における図８の開閉体ｂ；ｃを開放し、遊技盤２の下部から下方に排出される。
【００７１】
第９球通路９１は、第６入賞口３７から遊技盤２の裏側に排出された球を、矢印Ｘ１４で示す経路で、第１８入賞口４９の作動体１２５の後部を下方に動かす。第６入賞口３７に入賞した球は、第６入賞口３７に設けられた第６入賞球検出器６７で検出される。第９球通路９１を落下する球は、その途中で、図外の複数のレバーを動かす。複数のレバーが、第８乃至第１１入賞口３９乃至４２における図８の開閉体ａ、第１７入賞口４８および第１９入賞口５０における図８の開閉体ｂ；ｃを開放するための作動体１２２；１２４の後部における被押下部１７２（図１参照）を下方に動かす。複数のレバーを動かした後の第９球通路９１を落下する球は、第１８入賞口４９の作動体１２５の上に誘導される。これによって、第１８入賞口４９の作動体１２５の後部がその上に乗った球の重さで下方に動き、第１８入賞口４９の作動体１２５の前部が第１８入賞口４９における図８の開閉体ｂ；ｃを開放する。第１８入賞口４９の作動体１２５の後部が下方に動くと、その上に乗った球は、第１８入賞口４９の作動体１２５から第１８入賞口４９を迂回して左斜め下方の第１０球通路９２に排出される。
【００７２】
第１０球通路９２は、第１８入賞口４９の作動体１２５から排出された球を、矢印Ｘ１５で示す経路で、第１１球通路９３の下部に集合するように誘導する。第１１球通路９３の下部に誘導された球は、矢印Ｘ１６で示す経路で、第１１球通路９３を下方に落下して第２１入賞口５２の作動体１２５の上に誘導される。第２１入賞口５２の作動体１２５の後部がその上に乗った球の重さで下方に動き、第２１入賞口５２の作動体１２５の前部が第２１入賞口５２における図８の開閉体ｂ；ｃを開放する。第２１入賞口５２の作動体１２５の後部が下方に動くと、その上に乗った球は、第２１入賞口５２の作動体１２５から第２１入賞口５２を迂回して左斜め下方の第１２球通路９４に排出される。第１２球通路９４は、第２１入賞口５２の作動体１２５から排出された球を、矢印Ｘ１７で示す経路で、下方に排出する。つまり、第６入賞口３７に入賞した球は、賞球の払い出しを伴うことなく、第８乃至第１１入賞口３９乃至４２の開閉体ａを開放し、第１７乃至第１９入賞口４８乃至５０の開閉体ｂ；ｃを開放し、第２１入賞口５２の開閉体ｂ；ｃを開放し、遊技盤２の下部から下方に排出される。
【００７３】
第１８入賞口４９から遊技盤２の裏側に排出された球は、矢印Ｘ１６で示す経路で、第１１球通路９３を経由して第２１入賞口５２の作動体１２５の上に落下した後、矢印Ｘ１７で示す経路で第１２球通路９４に排出される。第１８入賞口４９に入賞した球は、第１１球通路９３における第１０球通路９２の合流する部分よりも上部に設けられた第１７入賞球検出器７８で検出される。第１７入賞球検出器７８は、球を検出した信号を入賞信号として図外の制御装置に出力し、制御装置が入賞信号に対応する個数の賞球としての球を払い出すように図外の球払出機構を駆動する。つまり、第１８入賞口４９に入賞した球は、賞球の払い出しを伴い、第２１入賞口５２における図８の開閉体ｂ；ｃを開放し、遊技盤２の下部から下方に排出される。第２１入賞口５２から遊技盤２の裏側に排出された球は、矢印Ｘ１８で示す経路で、第１３球通路９５に排出される。第２１入賞口５２に入賞した球は、第１３球通路９５に設けられた第２０入賞球検出器８１で検出される。第２０入賞球検出器８１は、球を検出した信号を入賞信号として図外の制御装置に出力し、制御装置が入賞信号に対応する個数の賞球としての球を払い出すように図外の球払出機構を駆動する。つまり、第２１入賞口５２に入賞した球は、賞球の払い出しを伴い、他の入賞口における図８の開閉体ｂ；ｃを開放することなく、遊技盤２の下部から下方に排出される。
【００７４】
第１３入賞口４４から遊技盤２の裏側に排出された球は、矢印Ｘ１９で示す経路で、第１４球通路９６から第１５球通路９７に排出される。第１３入賞口４４に入賞した球は、第１４球通路９６に設けられた第１２入賞球検出器７３で検出される。第１２入賞球検出器７３は、球を検出した信号を入賞信号として図外の制御装置に出力し、制御装置が入賞信号に対応する個数の賞球としての球を払い出すように図外の球払出機構を駆動する。つまり、第１３入賞口４４に入賞した球は、賞球の払い出しを伴い、他の入賞口における図８の開閉体ｂ；ｃを開放することなく、遊技盤２の下部から下方に排出される。第１５入賞口４６から遊技盤２の裏側に排出された球は、矢印Ｘ２０で示す経路で、第１６球通路９８から第１７球通路９９に排出される。第１５入賞口４６に入賞した球は、第１６球通路９８に設けられた第１４入賞球検出器７５で検出される。第１４入賞球検出器７５は、球を検出した信号を入賞信号として図外の制御装置に出力し、制御装置が入賞信号に対応する個数の賞球としての球を払い出すように図外の球払出機構を駆動する。つまり、第１５入賞口４６に入賞した球は、賞球の払い出しを伴い、他の入賞口における図８の開閉体ｂ；ｃを開放することなく、遊技盤２の下部から下方に排出される。
【００７５】
第１７入賞口４８から遊技盤２の裏側に排出された球は、矢印Ｘ２１で示す経路で、第１８球通路１００を経由して第２０入賞口５１の作動体１２３の後部の上に誘導される。作動体１２３の後部がその上に乗った球の重さで下方に動き、作動体１２３の前部が第２０入賞口５１における図８の開閉体ｂ；ｃを開放する。作動体１２３の後部が下方に動くと、その上に乗った球は、矢印Ｘ２２で示す経路で、作動体１２３から第２０入賞口５１を迂回して右斜め下方の第１９球通路１０１に排出される。第１７入賞口４８に入賞した球は、第１８球通路１００に設けられた第１６入賞球検出器７７で検出される。第１６入賞球検出器７７は、球を検出した信号を入賞信号として図外の制御装置に出力し、制御装置が入賞信号に対応する個数の賞球としての球を払い出すように図外の球払出機構を駆動する。つまり、第１７入賞口４８に入賞した球は、賞球の払い出しを伴い、第２０入賞口５１における図８の開閉体ｂ；ｃを開放し、遊技盤２の下部から下方に排出される。第２０入賞口５１から遊技盤２の裏側に排出された球は、矢印Ｘ２３で示す経路で、第２０球通路１０２に排出される。第２０入賞口５１に入賞した球は、第２０球通路１０２に設けられた第１９入賞球検出器８０で検出される。第１９入賞球検出器８０は、球を検出した信号を入賞信号として図外の制御装置に出力し、制御装置が入賞信号に対応する個数の賞球としての球を払い出すように図外の球払出機構を駆動する。つまり、第２０入賞口５１に入賞した球は、賞球の払い出しを伴い、他の入賞口における図８の開閉体ｂ；ｃを開放することなく、遊技盤２の下部から下方に排出される。
【００７６】
第１９入賞口５０から遊技盤２の裏側に排出された球は、矢印Ｘ２４で示す経路で、第２１球通路１０３を経由して第２２入賞口５３の作動体１２５の上に誘導される。第２２入賞口５３の作動体１２５の後部がその上に乗った球の重さで下方に動き、第２２入賞口５３の作動体１２５の前部が第２２入賞口５３における図８の開閉体ｂ；ｃを開放する。第２２入賞口５３の作動体１２５の後部が下方に動くと、その上に乗った球は、矢印Ｘ２５で示す経路で、第２２球通路１０４に排出される。第１９入賞口５０に入賞した球は、第２１球通路１０３に設けられた第１８入賞球検出器７９で検出される。第１８入賞球検出器７９は、球を検出した信号を入賞信号として図外の制御装置に出力し、制御装置が入賞信号に対応する個数の賞球としての球を払い出すように図外の球払出機構を駆動する。つまり、第１９入賞口５０に入賞した球は、賞球の払い出しを伴い、第２２入賞口５３における図８の開閉体ｂ；ｃを開放し、遊技盤２の下部から下方に排出される。第２２入賞口５３から遊技盤２の裏側に排出された球は、矢印Ｘ２６で示す経路で、第２３球通路１０５に排出される。第２２入賞口５３に入賞した球は、第２３球通路１０５に設けられた第２１入賞球検出器８２で検出される。第２１入賞球検出器８２は、球を検出した信号を入賞信号として図外の制御装置に出力し、制御装置が入賞信号に対応する個数の賞球としての球を払い出すように図外の球払出機構を駆動する。つまり、第２２入賞口５３に入賞した球は、賞球の払い出しを伴い、他の入賞口における図８の開閉体ｂ；ｃを開放することなく、遊技盤２の下部から下方に排出される。
【産業上の利用可能性】
【００７７】
図１１は、発明を実施するための別の第１形態に係る作動体２９１に被押下部１７２を設ける構造を示す。作動体２９１は、図１の作動体１２２乃至１２５に相当する。図１１のａ図に示すように、被押下部１７２は、作動体２９１を例えば成形型を使用した成形方法によって作る場合に、作動体２９１の成形型に被押下部１７２を形成するための空間を設け、当該成形型に成形材料を注入することによって、作動体２９１と一体に形成しておく。そして、図１１のｂ図に示すように、被押下部１７２が不要な場合において、被押下部１７２が作動体２９１から除去される。このようにすれば、図１の作動体１２２が図１の作動体１２３としても構成され、図１の作動体１２４が図１の作動体１２５としても構成され、図１の作動体１２２乃至１２５が２種類になるという利点がある。この場合、被押下部１７２を除去した跡である残渣部２９２が作動体２９１に残存されてもよい。
【００７８】
図１２は、発明を実施するための別の第２形態に係る作動体２９３に被押下部１７２を設ける構造を示す。作動体２９３は、図１の作動体１２２乃至１２５に相当する。被押下部１７２および作動体２９３を互いに別々に形成し、被押下部１７２を必要とする作動体２９３に結合する。このようにすれば、図１の作動体１２３が図１の作動体１２２としても構成され、図１の作動体１２５が図１の作動体１２４としても構成され、図１の作動体１２２乃至１２５が２種類になるという利点がある。この場合、作動体２９３には、被押下部１７２を挿入するための孔２９４を形成し、孔２９４に作動体２９３の一部を挿入して結合するようにすれば、被押下部１７２が作動体に強固に結合されるという利点がある。
【図面の簡単な説明】
【００７９】
【図１】４種類の可変入賞部品の分解斜視図（最良の形態）。
【図２】４種類の可変入賞部品の斜視図（最良の形態）。
【図３】４種類の入賞部品の作用説明図（最良の形態）。
【図４】２種類の入賞部品の分解斜視図（最良の形態）。
【図５】２種類の入賞部品の斜視図（最良の形態）。
【図６】２種類の入賞部品の作用説明図（最良の形態）。
【図７】パチンコ遊技機の正面図（最良の形態）。
【図８】遊技盤の正面からの模式図（最良の形態）。
【図９】第１乃至第１１入賞部品と第１乃至第２２入賞口と払出と連動との相互関係を示す図表（最良の形態）。
【図１０】球が入賞した場合における第１入賞口、第２入賞口、第５乃至第２２入賞口の相互関係を示す遊技盤の背面からの模式図（最良の形態）。
【図１１】ａ図は作動体に被押下部を設けた構造の斜視図、ｂ図は作動体から被押下部を除去した構造の斜視図（別の第１形態）。
【図１２】作動体に被押下部を設ける構造の分解斜視図（別の第２形態）。
【符号の説明】
【００８０】
２  遊技盤、２Ａ  遊技基盤、１１１  入賞部品、１１１Ａ  可変入賞部品、
１１１Ｂ  可変入賞部品、１１１Ｃ  可変入賞部品、１１１Ｄ  可変入賞部品、
１１２  部品基盤、１１３  前化粧盤、１１４  開閉体、１１５  開閉体、
１２２  作動体、１２３  作動体、１２４  作動体、１２５  作動体、
２０１  入賞部品、２０１Ａ  入賞部品、２０１Ｂ  入賞部品、２０２  部品基盤、
２０３  前化粧盤、２０４  開閉体、２０５  開閉体、２１２  作動体、
２１３  作動体、２９１  作動体、２９３  作動体。
【図１】
2007312941.tif 000003
【図２】
2007312941.tif 000004
【図３】
2007312941.tif 000005
【図４】
2007312941.tif 000006
【図５】
2007312941.tif 000007
【図６】
2007312941.tif 000008
【図７】
2007312941.tif 000009
【図８】
2007312941.tif 000010
【図９】
2007312941.tif 000011
【図１０】
2007312941.tif 000012
【図１１】
2007312941.tif 000013
【図１２】
2007312941.tif 000014